(57)【要約】【課題】開閉機構の機能を損ねずに隙間からの虫などの進入を防ぐために好適な虫除け用具を提供する。【解決手段】虫除け用具１００は、片面に接着部材を配した板状の胴体部１１０と、胴体部１１０に接合されている複数の毛を有するブラシ部１２０と、胴体部１１０の一部又は全部の領域に設けられ、アルコール・フェノール等を染み込ませたスポンジ部１３０とを備える。虫除け用具１００は、ドア、扉、襖などの開閉機構と、床や天井等と、の隙間を埋めるように、接着部材で開閉機構に取り付けられる。【選択図】図１
2009201494.tif 000002
【特許請求の範囲】
【請求項１】
片面に接着部材が取り付けられた板状又は平面状の胴体部、
前記胴体部に接合されており、複数の毛を有するブラシ部、
前記胴体部の一部又は全部の領域に設けられ、アルコール又はフェノールを染み込ませたスポンジ部、
を備えることを特徴とする虫除け用具。
【請求項２】
請求項１に記載の虫除け器具であって、
前記ブラシ部の毛は、直毛、波状毛、縮毛のうち少なくとも一つ以上を含む、
ことを特徴とする虫除け器具。
【請求項３】
請求項１又は２に記載の虫除け器具であって、
前記ブラシ部の毛は、ポリアミド系樹脂、植物系繊維、動物性繊維のうち少なくとも一つ以上を含む、
ことを特徴とする虫除け器具。
【請求項４】
片面に接着部材が取り付けられた板状又は平面状の胴体部、
前記胴体部に接合されており、複数の毛を有するブラシ部、
を備え、
前記ブラシ部の毛には、樟脳、ナフタレン、パラジクロロベンゼン、ピレスロイドのうち少なくとも一つ以上の固体粉末を付着させてある、
ことを特徴とする虫除け器具。
【発明の詳細な説明】
【技術分野】
【０００１】  本発明は、開閉機構の機能を損ねずに隙間からの虫などの進入を防ぐために好適な虫除け用具に関する。
【背景技術】
【０００２】  住宅には、扉、ドア、襖などの開閉機構が多く設置されている。開閉機構は人間が部屋を行き来するたびに開閉されるのであるが、建築する際の立て付け次第では隙間ができる場合がある。一方で、スムーズに開閉を繰り返すためには、ある程度の隙間を空けておかなければならない事情もある。
【発明の開示】
【発明が解決しようとする課題】
【０００３】  上記のように扉等の開閉のために適度の大きさの隙間を作ったとしても、虫が進入するためには十分な大きさになってしまう可能性がある。特に、ゴキブリなどの害虫の進入を許してしまうと、住宅内の衛生上の問題が発生したり、住人の快適な生活を害する問題が発生したりしてしまう。【０００４】  本発明は、このような課題を解決するものであり、開閉機構の機能を損ねずに隙間からの虫などの進入を防ぐために好適な虫除け用具を提供することを目的とする。
【課題を解決するための手段】
【０００５】  上記目的を達成するため、本発明の原理にしたがって、下記の発明を開示する。【０００６】  本発明の第１の観点に係る虫除け用具は、胴体部、ブラシ部、スポンジ部を備える。
胴体部は、片面に接着部材が予め取り付けられた板状の形をしている。
ブラシ部は、前記胴体部に接合されており、複数の毛を有する。
スポンジ部は、前記胴体部の一部又は全部の領域に設けられ、アルコール又はフェノーを予め染み込ませてある。【０００７】  ブラシ部の毛は、直毛、波状毛、縮毛のうち少なくとも一つ以上を含んでもよい。【０００８】  ブラシ部の毛は、ポリアミド系樹脂、植物系繊維、動物性繊維のうち少なくとも一つ以上を含んでもよい。【０００９】  本発明の第２の観点に係る虫除け用具は、胴体部、ブラシ部を備える。
胴体部は、片面に接着部材が取り付けられた板状又は平面状の形をしている。
ブラシ部は、胴体部に接合されており、複数の毛を有する。
そして、ブラシ部の毛には、樟脳、ナフタレン、パラジクロロベンゼン、ピレスロイドのうち少なくとも一つ以上の固体粉末を付着させてある。
【発明の効果】
【００１０】  本発明によれば、開閉機構の機能を損ねずに隙間からの虫などの進入を防ぐために好適な虫除け用具を提供することができる。
【発明を実施するための最良の形態】
【００１１】  以下、本発明の実施例について説明する。
【実施例１】
【００１２】  図１は、本発明の実施例に係る虫除け用具１００の概観図である。【００１３】  虫除け用具１００は、胴体部１１０とブラシ部１２０と吸湿性スポンジ部１３０とから構成される。【００１４】  図２は、前後に開閉するドア２００に虫除け用具１００を設置したときの概観図である。ドア２００は、矢印Ｙ１方向に開閉可能である。【００１５】  図３は、左右に開閉する扉３００に虫除け用具１００を設置したときの概観図である。扉３００は、矢印Ｙ２方向に開閉可能である。【００１６】  胴体部１１０の横幅Ｌは、ドア２００の横幅とほぼ同じ長さである。横幅Ｌは、ドア２００の横幅と一致することが望ましい。【００１７】  胴体部１１０の奥行き（厚さ）Ｄは、典型的には数ミリメートル程度である。図中では、本発明の理解を容易にするために、奥行きＤの大きさをやや誇張して描いている。【００１８】  胴体部１１０の高さＨ１は、典型的には約２〜３センチメートル程度である。【００１９】  高さＨ１のうち、ブラシ部１２０に相当する部分の高さＨ２は、ドア２００と床面との隙間より若干長い程度であり、隙間を埋めるために十分な長さである。典型的には約１センチメートル程度である。【００２０】  胴体部１１０のドア２００側の片面は、粘着テープあるいは糊のような接着部材を貼り付けている接着面になっている。ユーザは、容易に虫除け用具１００をドア２００や扉３００に貼り付けることができる。【００２１】  胴体部１１０の材質は、本発明によって限定されない。例えば、紙、板、プラスチックなどを用いることができる。【００２２】  胴体部１１０には、ブラシ部１２０が接合されている。胴体部１１０からブラシ部１２０が接合される向きが床面側になる。【００２３】  ブラシ部１２０は、柔らかいポリアミド系樹脂（通称：ナイロン）やアラミド樹脂等の高分子化合物、植物系繊維、動物性繊維等の材質で作られている、糸状あるいは繊維質の複数の毛から構成される。また、これらの材質の組み合わせや混合物でも良い。ただし、ブラシ部１２０全体の材質は、総じて、床面を傷つけない程度の堅さ（柔らかさ）であることが望ましい。【００２４】  毛の形状は、典型的には直線状（直毛）である。しかし、波状毛、縮毛などでもよく、形状は限定されない。例えば、いわゆるアフロヘアーのように、縮毛を膨らませ丸い形にすることもできる。【００２５】  胴体部１１０の一部領域は、吸湿性スポンジ部１３０（図中では１３０Ａ，１３０Ｂ，１３０Ｃの３つ）になっている。吸湿性スポンジ部１３０は、胴体部１１０に埋め込まれるように設けられる。【００２６】  吸湿性スポンジ部１３０には、エタノール等の液体のアルコール類、あるいはフェノール類を染み込ませている。ユーザは、吸湿性スポンジ部１３０の上部から適宜エタノール等を注入することができる。例えば、ユーザは、吸湿性スポンジ部１３０が乾燥しても随時エタノール等を補充して染み込ませることができる。【００２７】  本実施例では、吸湿性スポンジ部１３０は３カ所設けられているが、２カ所以下、あるいは、４カ所以上でもかまわない。また、胴体部１１０全体が吸湿性スポンジ部１３０を構成していてもよい。【００２８】  吸湿性スポンジ部１３０の表面に��染み込ませたエタノール等が容易に揮発しないようにするため、適度に穴を開けたシートをかぶせても良い。【００２９】  液体のアルコール類、あるいはフェノール類の代わりに、樟脳、ナフタレン、パラジクロロベンゼン、天然ピレスロイド、合成ピレスロイドなどの固体粉末を、吸湿性スポンジ部１３０に付着させても良い。【００３０】  なお、樟脳、ナフタレン、パラジクロロベンゼン、天然ピレスロイド、合成ピレスロイドなどの固体粉末を、吸湿性スポンジ部１３０ではなく、ブラシ部１２０に付着させても良い。この場合、虫除け用具１００は、吸湿性スポンジ部１３０を備えなくても良い。【００３１】  上述のように毛の形状を波状毛、縮毛などにすると、吸湿性スポンジ部１３０に染み込ませたアルコール類・フェノール類の保湿性が向上し、あるいは、樟脳、ナフタレン、パラジクロロベンゼン、天然ピレスロイド、合成ピレスロイドなどの固体粉末の定着性が向上するため、好適である。【００３２】  ドア２００あるいは扉３００と床面との隙間は、柔らかい毛でできたブラシ部１２０によって埋められるので、ドア２００あるいは扉３００の開閉機構に支障を来すことなく、虫などの進入を防ぐことができる。【００３３】  更に、吸湿性スポンジ部１３０に例えばエタノール等を染み込ませることにより、ゴキブリなどを寄せ付けない効果が得られる。【００３４】  図中では、ドア２００あるいは扉３００の片面にのみ虫除け用具１００を貼り付けているが、両面に貼り付けるとより効果的である。【００３５】  また、虫除け用具１００は、ドア２００あるいは扉３００の床側の隙間を埋めるだけでなく、天井側の隙間や、図４のように横の隙間を埋めるように接着することもできる。【００３６】  図４の場合、幅Ｌをドア２００あるいは扉３００の高さとほぼ同じ長さにして、高さ（Ｈ１−Ｈ２）をドア２００あるいは扉３００の厚さとほぼ同じにすればよい。
【実施例２】
【００３７】  次に、本発明の第２の実施例について説明する。虫除け用具１００は、開閉装置の隙間だけでなく、水道管やパイプ等にも取り付けることができる。【００３８】  図５は、筒状のパイプ４００の内面に貼り付けたときの虫除け用具１００の概観図である。【００３９】  ゴキブリなどの小さな虫は、パイプ内を伝って家屋内に侵入する場合がある。本図に示すように、虫除け用具１００は、ブラシ部１２０の毛が家屋外に向かう方向に伸びるような向きに貼り付けることが望ましい。【００４０】  図６は、筒状のパイプ４００の外面に貼り付けたときの虫除け用具１００の概観図である。【００４１】  本図に示すように、台所の下のパイプ４００と周りの板４５０との隙間を埋めるように、虫除け用具１００を設置することができる。【００４２】  以上説明したように、本発明によれば、開閉機構の機能を損ねずに隙間からの虫などの進入を防ぐために好適な虫除け用具を提供することができる。
【図面の簡単な説明】
【００４３】
【図１】虫除け用具の構成を説明するための図である。
【図２】前後に開閉するドアに虫除け用具を設置したときの概観図である。
【図３】左右に開閉する扉の床面側に虫除け用具を設置したときの概観図である。
【図４】左右に開閉する扉の側面側に虫除け用具を設置したときの概観図である。
【図５】筒状のパイプの内側に虫除け用具を設置したときの概観図である。
【図６】筒状のパイプの外側に虫除け用具を設置したときの概観図である。
【符号の説明】
【００４４】１００  虫除け用具
１１０  胴体部
１２０  ブラシ部
１３０  吸湿性スポンジ部
２００  ドア
３００  扉
４００  パイプ
【図１】
2009201494.tif 000003
【図２】
2009201494.tif 000004
【図３】
2009201494.tif 000005
【図４】
2009201494.tif 000006
【図５】
2009201494.tif 000007
【図６】
2009201494.tif 000008